(57)【要約】【課題】光学要素の光軸を高い精度で安定且つ容易に接着することができる接着構造を備えた光ピックアップ装置を提供する。【解決手段】対物レンズ駆動装置と、発光素子及び受光素子を有する光学要素と、それらが収容又は装着されると共に前記発光素子及び受光素子の一方又は両方が各素子毎の固定部材８を介して第１接着剤及び第２接着剤で位置決め接着されるフレームと、を有する光ピックアップ装置において、前記固定部材８のフレーム側の表面及び前記フレームの固定部材側の表面の一方又は両方に、第１接着剤が第２接着剤を塗布領域３５に拡散するのを防ぐ、第１接着剤拡散防止手段を形成することにより、上記課題を解決した。第１接着剤拡散防止手段として、固定部材とフレームとの間の隙間が拡大してなる空間構造、又は溝４１を設ける。【選択図】    図４
2005032316.tif 000002
【特許請求の範囲】
【請求項１】
対物レンズ駆動装置と、発光素子及び受光素子を有する光学要素と、それらが収容又は装着されると共に前記発光素子及び受光素子の一方又は両方が各素子毎の固定部材を介して第１接着剤及び第２接着剤で位置決め接着されるフレームと、を有する光ピックアップ装置であって、
前記固定部材のフレーム側の表面及び前記フレームの固定部材側の表面の一方又は両方には、前記第１接着剤が第２接着剤の塗布領域に拡散するのを防ぐ、第１接着剤拡散防止手段が形成されていることを特徴とする光ピックアップ装置。
【請求項２】
前記第１接着剤拡散防止手段が、固定部材とフレームとの間の隙間が拡大してなる空間構造であることを特徴とする請求項１に記載の光ピックアップ装置。
【請求項３】
前記第１接着剤拡散防止手段が溝であることを特徴とする請求項１又は２に記載の光ピックアップ装置。
【請求項４】
前記固定部材及びフレームの一方又は両方には、前記第２接着剤が第２接着剤の塗布領域以外に拡散するのを防ぐ、第２接着剤拡散防止手段が形成されていることを特徴とする請求項１〜３のいずれか１項に記載の光ピックアップ装置。
【発明の詳細な説明】
【０００１】
【発明の属する技術分野】
本発明は、ＣＤ（コンパクトディスク）やＤＶＤ（ディジタルバーサタイルディスク）等の光記録媒体の記録・再生に用いられる光ピックアップ装置に関し、更に詳しくは、発光素子や受光素子を安定してフレームに接着すことができる接着構造に関するものである。
【０００２】
【従来の技術】
ＣＤやＤＶＤ等の光記録媒体の記録・再生に用いられる光ピックアップ装置は、光記録媒体に対向する対物レンズ駆動装置と、発光素子及び受光素子を有する光学要素と、それらが収容又は装着されると共にその発光素子及び受光素子の一方又は両方が各素子毎の固定部材を介して位置決め接着されるフレームと、を主な構成としている。
【０００３】
光ピックアップ装置のうち、例えばＣＤ、ＣＤ−Ｒ及びＤＶＤ共用の記録再生を行う光ピックアップ装置では、ＤＶＤ用発光素子であるレーザーダイオードと、ＣＤ用発光素子であるレーザーダイオードとを有している。こうした光ピックアップ装置において、レーザーダイオードから出射した出射光は、フレーム内に収容された光学要素及び対物レンズ駆動装置により光記録媒体に照射し、その光記録媒体で反射した反射光は、同様の光学要素を経由して受光素子に入射し、その受光素子で反射光を受け、ＯＥ変換されて再生装置（図示しない）に送られる。
【０００４】
図２は、上記光ピックアップ装置における光学要素３の一例を示す配置説明図である。ＤＶＤ用レーザーダイオードである発光素子４から出射したレーザー光Ｌ１は、ハーフミラー２１及びプリズム２２を透過し、対物レンズ直下の反射ミラー（図示しない）で対物レンズ方向に屈曲され、対物レンズ２３で焦点調整されて光記録媒体に照射される。一方、ＣＤ用レーザーダイオードである発光素子５から出射したレーザー光Ｌ２は、プリズム２２で屈曲され、さらに対物レンズ直下の反射ミラーで対物レンズ方向に屈曲され、対物レンズ２３で焦点調整されて光記録媒体に照射される。そうした照射光は光記録媒体で反射して反射光となり、対物レンズ２３の直下の反射ミラーで屈曲され、プリズム２２を透過した後、ハーフミラー２１で屈曲され、センサレンズ２４を透過して受光素子６であるフォトダイオードに集光入射する。
【０００５】
したがって、こうした光学要素を備えた光ピックアップ装置においては、正確に記録・再生させるために、各光学要素（特に発光素子と受光素子）は、その位置が正確に調整（光軸合わせ）された状態で接着固定されている必要がある。これらの光学要素をフレームに固定する場合には、先ず、ＤＶＤ用レーザーダイオードをフレームに接着固定した後、受光信号をモニターしながら受光素子をフレーム側面に接着剤で接着固定し、次いで、受光素子で受光信号をモニターしながら、ＣＤ用レーザーダイオードをフレームの側面に接着剤で接着固定する。
【０００６】
発光素子や受光素子の接着固定は、予めそれらの素子を接着または圧入した固定部材をフレームに接着することにより行われている。例えば下記特許文献１には、フレームの側面に接着剤を溜める接着剤保持用凹部を形成し、その凹部に未硬化の光硬化性接着剤を所定量吐出して接着剤の量と形を揃えることにより、受光素子である光検出器を備えた固定部材を光軸方向（Ｚ軸方向）の正確な位置に接着固定できることが提案されている。この接着方法は、接着剤の塗布量を厳格に制御する必要があり、その管理が難しい。
【０００７】
上記以外の接着方法として、例えば図９（ａ）の正面図に示すように、固定部材８１とフレーム８２との接着位置を調整することにより光学要素８６のＸ軸・Ｙ軸方向を位置調整する方法が行われている。この方法は、例えば、図９（ｂ）の部分平面図に示すように、固定部材８１とフレーム８２との隙間８５に、粘度の低い有機溶剤型の接着剤８３を流し込んで仮接着し、その後、長期の接着信頼性のある接着剤８４を隙間８５に流し込んで本接着することにより行われる。この方法では、２種類の接着剤８３，８４を、固定部材８１とフレーム８２との間の隙間に流し込み、速やかに拡散させている。
【０００８】
【特許文献１】
特開２００１−２９１２７２号公報
【０００９】
【発明が解決しようとする課題】
前記の接着方法では、図９に示すように、固定部材８１の左右両側から低粘度の接着剤８３で仮接着し、その後、固定部材８１の上下両側から接着剤８４を塗布して本接着するが、その場合に、仮接着時の低粘度の接着剤８３が本接着が行われる領域Ｒに拡散し（浸透することと同じ。）、本接着のための接着剤８４の拡散を妨げるという現象が起こる。こうした現象は、本接着のための接着剤８４による安定接着を阻害し、光学要素８６の位置決めに対する長期信頼性を低下させるという問題がある。
【００１０】
本発明は、上記課題を解決するためになされたものであって、その目的は、光学要素の光軸を高い精度で安定且つ容易に接着することができる接着構造を備えた光ピックアップ装置を提供することにある。
【００１１】
【課題を解決するための手段】
上記課題を解決するための本発明の光ピックアップ装置は、対物レンズ駆動装置と、発光素子及び受光素子を有する光学要素と、それらが収容又は装着されると共に前記発光素子及び受光素子の一方又は両方が各素子毎の固定部材を介して第１接着剤及び第２接着剤で位置決め接着されるフレームと、を有する光ピックアップ装置であって、前記固定部材のフレーム側の表面及び前記フレームの固定部材側の表面の一方又は両方には、前記第１接着剤が第２接着剤の塗布領域に拡散するのを防ぐ、第１接着剤拡散防止手段が形成されていることを特徴とする。
【００１２】
この発明によれば、第１接着剤拡散防止手段により、第１接着剤が第２接着剤の塗布領域に拡散するのを防ぐので、固定部材とフレームとの接着時において、予め塗布される第１接着剤が第２接着剤の塗布領域に拡散（浸透と同義。）しない。その結果、その後に塗布される第２接着剤の塗布領域が確保されるので、接着剤による安定接着を可能にし、光学要素の位置決めに対する長期信頼性を確保することができる。
【００１３】
本発明の光ピックアップ装置において、前記第１接着剤拡散防止手段が、固定部材とフレームとの間の隙間が拡大してなる空間構造であることを特徴とする。
【００１４】
この発明によれば、固定部材とフレームとの間の隙間が拡大してなる空間構造としたので、固定部材とフレームとの間の隙間を拡散してきた第１接着剤は、その空間構造部分で拡散が停止する。
【００１５】
本発明の光ピックアップ装置において、前記第１接着剤拡散防止手段が溝であることを特徴とする。
【００１６】
この発明によれば、固定部材とフレームとの間の隙間を拡散してきた接着剤は、その溝のところで拡散が停止する。
【００１７】
本発明の光ピックアップ装置において、前記固定部材及びフレームの一方又は両方には、前記第２接着剤が第２接着剤の塗布領域以外に拡散するのを防ぐ、第２接着剤拡散防止手段が形成されていることを特徴とする。
【００１８】
この発明によれば、第２接着剤拡散防止手段により、第２接着剤が第２接着剤塗布領域以外に拡散するのを防ぐので、拡散してほしくない領域、例えば光学素子への第２接着剤の拡散を防止できる。
【００１９】
【発明の実施の形態】
以下、本発明の光ピックアップ装置について図面を参照しつつ説明する。
【００２０】
（光ピックアップ装置）
図１は、本発明の光ピックアップ装置の一例を示す外観図である。図１中、（ａ）は平面図、（ｂ）は正面図、（ｃ）は背面図であり、（ｄ）は右側面図である。
【００２１】
本発明の光ピックアップ装置１は、光記録媒体（図示しない）に対向する対物レンズ駆動装置２と、発光素子４，５及び受光素子６を有する光学要素３と、それらが収容又は装着されると共に前記の発光素子４，５及び受光素子６の一方又は両方が各素子毎の固定部材８ａ，８ｂ，８ｃ（まとめて、符号８で表すこともある。）を介して第１接着剤及び第２接着剤で位置決め接着されるフレーム７と、対物レンズ駆動装置２及び光学要素３を制御するための回路基板であるＦＰＣ基板９と、を主に備えている。
【００２２】
こうした光ピックアップ装置１において、その光学系は、図２で説明した通りである。すなわち、一の発光素子４であるレーザーダイオードから出射したレーザー光Ｌ１は、ハーフミラー２１及びプリズム２２を透過し、対物レンズ直下の反射ミラー（図示しない）で対物レンズ方向に屈曲され、対物レンズ２３で焦点調整されて光記録媒体に照射される。一方、他の一の発光素子５であるレーザーダイオードから出射したレーザー光Ｌ２は、プリズム２２で屈曲され、さらに対物レンズ直下の反射ミラーで対物レンズ方向に屈曲され、対物レンズ２３で焦点調整されて光記録媒体に照射される。それらの照射光は光記録媒体で反射して反射光となり、対物レンズ２３の直下の反射ミラーで屈曲され、プリズム２２を透過した後、ハーフミラー２１で屈曲され、センサレンズ２４を透過して受光素子６であるフォトダイオードに集光入射する。
【００２３】
対物レンズ駆動装置２は、発光素子４，５であるレーザーダイオードから出射光したレーザー光Ｌ１，Ｌ２を光記録媒体（例えば光ディスク）に収束させる対物レンズ２３を、フォーカシング方向（フォーカシングエラー補正方向）およびトラッキング方向（トラッキングエラー補正方向）に駆動制御させるための装置であり、トラッキング駆動用コイルとフォーカシング駆動用コイルを備え、さらにトラッキング用駆動マグネットとフォーカシング用駆動マグネットを備えている。
【００２４】
光学要素３は、発光素子（例えばレーザーダイオード）４，５、ハーフミラー２１、プリズム２２、対物レンズ２３、センサレンズ２４、反射ミラー（図示しない）等を有するものであり、光記録媒体で反射した反射光を受光する受光素子（例えばフォトダイオード）６もその光学要素に含まれる。こうした光学要素３は、固定部材８に接着剤等により装着され、さらに第１接着剤及び第２接着剤でその固定部材８をフレーム７に接着することにより、所定の位置に位置決め接着される。
【００２５】
フレーム７は、対物レンズ駆動装置２とほぼ同じ厚さで水平方向に延びるアルミダイキャスト製品が好ましく用いられる。その内側は、概ね上述した光学要素３を収容する取付領域と、対物レンズ駆動装置２を収容する取付領域とに分けられる。フレーム７の両端部には、丸穴からなる主軸ガイド穴１１と、コ字状に突き出した副軸ガイド溝１２とが形成されている。光ピックアップ装置１は、これらの主軸ガイド穴１１および副軸ガイド溝１２の各々に通された記録再生装置本体側の主軸および副軸（図示せず）に沿って、光記録媒体の半径方向に移動制御される。
【００２６】
フレーム側面またはフレーム内には、対物レンズ駆動装置２および光学要素３が収容されるほか、その対物レンズ駆動装置２および光学要素３に電気信号を与えてそれらを制御するためのＦＰＣ基板９が装着または収容される。
【００２７】
フレーム７は、光記録媒体側の上面部分と、その上面部分の外周縁部から、光記録ディスクとは反対側の下面部分に直角に延びている外周壁部分とを備えている。こうしたフレーム７は、上面側と下面側の一方又は両方に開口部を有し、対物レンズ駆動装置２および光学要素３は、その開口部から収容され、必要に応じて接着剤等によりフレーム７に固定される。また、フレーム７の上面側開口部には、対物レンズ駆動装置２を覆う上面カバーと光学要素３を覆う上面カバーがそれぞれ装着されている。一方、フレーム７の下面側開口部には、対物レンズ駆動装置２を覆う下面カバーが装着されている。
【００２８】
（接着構造）
本発明の光ピックアップ装置１においては、記録情報を光記録媒体に正確に記録・再生させるために、固定部材８に接着した各光学要素３（特に発光素子４，５と受光素子６）を、所定の位置に調整した状態でフレーム７に接着固定する必要がある。光学要素３をフレーム７に固定する一態様としては、先ず、ＤＶＤ用の発光素子４であるレーザーダイオードが装着された固定部材８ａをフレーム７に接着固定した後、受光信号をモニターしながら受光素子６であるフォトダイオードが装着された固定部材８ｃをフレーム７の側面に接着剤で接着固定し、次いで、その受光素子６で受光信号をモニターしながら、ＣＤ用の発光素子５であるレーザーダイオードが装着された固定部材８ｂをフレーム７の側面に接着剤で接着固定する。
【００２９】
図３は、固定部材８をフレーム７に接着固定する態様の一例を示す説明図である。本発明において、フレーム７への固定部材８の接着は、図３に示すように、位置決め用の治具３１で保持された固定部材８の被接着面をフレーム７の被接着面に当接してその固定部材８をＸ軸方向とＹ軸方向にのみ位置調整した後に仮接着し（図３（ａ））、その後、治具３１を外して固定部材８を本接着することにより行われれる（図３（ｂ））。
【００３０】
このとき、図３（ａ）に示すように、先ず、位置決め用の治具３１で保持されていない側から、仮接着のための第１接着剤３２を当接面の隙間に塗布し、拡散させて固定部材８を仮接着する。その後、位置決め用の治具３１を外し、図３（ｂ）に示すように、治具３１で保持されていた側から、本接着のための第２接着剤３３を当接面の隙間に塗布し、拡散させることにより、固定部材８はフレーム７に位置決めされた状態で接着される。
【００３１】
本発明の特徴は、当接面の隙間に塗布した第１接着剤３２が必要以上に拡散するのを、固定部材８の被接着面またはフレーム７の被接着面に形成した第１接着剤拡散防止手段により防止することにある。こうした第１接着剤拡散防止手段により、第１接着剤３２が、第１接着剤の塗布領域３４を超えて、第２接着剤３３の塗布領域３５に拡散するのを防ぐことができ、その結果、第２接着剤３３が拡散する本接着のための領域３５を確保することができる。なお、本発明においては、固定部材７の位置決めをＸ軸方向とＹ軸方向にのみ行うものであり、固定部材８とフレーム７と僅かな隙間に第１接着剤３２を拡散させる仮接着によりＸ軸方向とＹ軸方向の位置決めを行っている。
【００３２】
固定部材８は、発光素子４，５又は受光素子６を装着することができる構造であれば特に限定されないが、通常は、受光素子４，５又は発光素子６が装着される開口部４２を備えている。固定部材８の左右側には、フレーム７に設けられていてもよい位置決めピンに対応したおよその位置決めを行うためのコ字状のガイド４３が設けられていてもよい。フレーム７に接着する側の固定部材８の被接着面は、通常、切削加工されて平坦面に加工されている。固定部材８の材質は発光素子４，５又は受光素子６を装着でき且つ第１接着剤３２および第２接着剤３３によりフレーム７に接着できる程度の強度と材質であれば特に限定されず、例えばＺＤＣ（亜鉛ダイキャスト）や鉄等の材質であってもよい。
【００３３】
固定部材８が接着するフレーム７は、その被接着面が切削加工により平坦面に加工されていることが望ましく、その結果、上記の固定部材８との間に微小な隙間を形成することができる。フレーム７の材質についても特に限定されず、例えばアルミニウム又はその合金等であってもよい。
【００３４】
図４は、固定部材の被接着面に第１接着剤拡散防止手段を設けた態様の一例である。
【００３５】
固定部材８の被接着面４４には、第１接着剤拡散防止手段としての溝４１が設けられている。この溝４１，４１は、第１接着剤３２が塗布される領域３４，３４を区画するために設けられるものであり、この溝４１により、固定部材８とフレーム７との両サイドの当接面から塗布された第１接着剤３２が第２接着剤３３の塗布領域３５に拡散するのを防ぐことができる。
【００３６】
溝４１の形状は特に限定されず、例えば、図５（ａ）〜（ｅ）に示すような三角形状、半円形状、半楕円形状、矩形形状、台形形状等の各種の断面形状とすることができる。こうした形状は、第１接着剤３２の拡散が停止する効果の有無で設計され、例えば、拡散し易い組成からなる第１接着剤を多量に使用して仮接着する場合には、溝の深さｄや幅ｗが大きいことが好ましく、少量である場合には、溝４１の深さｄや幅ｗは小さくてもよい。なお、接着剤の種類や塗布量との兼ね合いで選択される。
【００３７】
第１接着剤拡散防止手段は、前記の溝４１のほか、例えば図６に示す各種の断面形状であってもよい。図６に示す断面形状は、固定部材８とフレーム７との間に形成される隙間が拡大した空間構造５１を示すものであり、この空間構造５１により、固定部材８とフレーム７の隙間を拡散する接着剤のそれ以上の拡散を停止することができる。
【００３８】
空間構造５１は、図６（ａ）〜（ｃ）に示すように、固定部材８とフレーム７との隙間が拡大した形態であることが好ましい。図６（ａ）は、固定部材８の表面が所定の角度で傾斜することにより固定部材８とフレーム７との隙間が徐々に拡大した空間構造５１を示すものであり、その角度は特に限定されない。また、図６（ｂ）は、固定部材８の表面が直角に落ち込むことにより、固定部材８とフレーム７との隙間が急激に拡大した空間構造５１を示すものであり、図６（ｃ）は、固定部材８の表面が９０°を超える角度で鋭角に落ち込むことにより固定部材８とフレーム７との隙間が急激に拡大した空間構造５１を示すものである。
【００３９】
空間構造５１の詳細な設計については、上述の溝４１の場合と同様、第１接着剤３２の拡散が停止する効果の有無で設計され、例えば、拡散し易い組成からなる第１接着剤を多量に使用して仮接着する場合には、固定部材８とフレームの隙間が第１接着剤塗布領域の隙間よりもかなり大きいことが望ましく、接着剤の種類や塗布量との兼ね合いにより、例えば被接着面同士の隙間の数百倍程度に拡大させたり、数十μｍ〜数百μｍの大きな隙間となるようにすることができる。また、平面形態においても、図４に示すように直線形状でもよいし、曲線形状でも直線と曲線とからなる形状であってもよい。
【００４０】
上記においては、第１接着剤拡散防止手段である溝４１又は空間構造５１を固定部材８の被接着面４４に形成した態様について例示したが、フレーム７の被接着面４４に形成したものであってもよく、さらには、固定部材８とフレーム７の両方の被接着面４４，４４に形成したものであってもよい。固定部材８とフレーム７の両方の被接着面に形成する場合には、その両方の面で上記の図４及び図６のような形態、隙間間隔及び角度にすればよい。
【００４１】
溝４１や空間構造５１は、固定部材８及び／又はフレーム７をキャスティング（鋳造）する際に成形しておいてもよいし、被接着面を切削加工して形成してもよい。
【００４２】
また、第１接着剤は、仮接着するために用いられるものであれば、どのような接着剤でもよく、その種類は特に限定されない。また、第２接着剤は、通常、本接着するために用いられるものであればよく、長期の安定接着を実現できる接着剤が使用される。仮接着するための接着剤としては、隙間に流れ込み易い有機溶剤型の低粘度の接着剤が好ましく用いられ、例えば、シアノアクリレート系の接着剤を挙げることができる。また、本接着するための接着剤も、隙間に流れ込み易い低粘度の接着剤であって、且つ長期の接着信頼性が確保される種類の接着剤が選択されて使用される。例えば、樹脂成分を含有した有機溶剤型の接着剤を用いることができ、例えば、嫌気性の接着剤を挙げることができる。
【００４３】
図７は、第２接着剤の拡散を防止するための第２接着剤拡散防止手段を設けた態様の一例である。図７の固定部材８には、第１接着剤が第２接着剤塗布領域６４に拡散するのを防ぐ第１の空間構造６１と、第２接着剤が第２接着剤塗布領域以外に拡散するのを防ぐ第２の空間構造６２とが設けられている。なお、図７において、第１の空間構造６１と第２の空間構造６２は、図４および図５（ａ）に示す三角形状の溝形状で例示したものである。なお、符号６３は、第１接着剤が塗布される領域である。
【００４４】
この態様においては、固定部材８の被接着面４４に第１の空間構造６１が設けられているので、その空間構造６１で第１接着剤の拡散が防止され、第２接着剤が拡散するための領域６４を確保できる。さらに、固定部材８の被接着面４４に第２の空間構造６２が設けられているので、第２接着剤が余計な領域への拡散が防止される。その結果、第２接着剤の接着領域が確保され、長期信頼性の安定接着を実現できると共に、第２接着剤が拡散してほしくない領域への第２接着剤の拡散を防止でき、素子の特性が低下するような悪影響が生じない。また、この態様においても、第２接着剤拡散防止手段をフレーム７の側に設けてもよいし、固定部材８とフレーム７の両方に設けてもよい。
【００４５】
なお、上記の余計な領域とは、例えば、第２接着剤が、固定部材８に装着された発光素子４，５や受光素子６にまで到達してそれらの素子の特性を低下させるような悪影響を及ぼすことになる領域のことである。
【００４６】
図８は、上述した空間構造または溝からなる第１接着剤拡散防止手段を固定部材の一部分に設けた態様である。第１接着剤拡散防止手段は第２接着剤の塗布領域７１を確保するために設けられるものであるから、その目的が達成される限りにおいて、図８に示すように、必要なところに部分的に設けることができる。
【００４７】
図８においては、第１接着剤拡散防止手段は、固定部材８の上辺側と下辺側から所定の長さＬで形成されている。形成された第１接着剤拡散防止手段により、第１接着剤の第２接着剤塗布領域７１への拡散が防止されるので、第２接着剤の被接着面間の隙間への注入を容易に行うことができる。
【００４８】
【発明の効果】
以上説明したように、本発明の光ピックアップ装置によれば、固定部材とフレームとの接着時において、予め塗布される第１接着剤が第２接着剤の塗布領域に拡散しないので、その後に塗布される第２接着剤の塗布領域が確保される。その結果、接着剤による安定接着が可能となり、光学要素の位置決めに対する長期信頼性を確保することができる。こうした本発明の光ピックアップ装置は、光ピックアップ装置の光軸が長期にわたってずれることがなく、信頼性のよい安定した光ピックアップ装置となる。
【図面の簡単な説明】
【図１】本発明の光ピックアップ装置の一例を示す外観図である。
【図２】光ピックアップ装置における光学要素の一例を示す配置説明図である。
【図３】固定部材をフレームに接着固定する態様の一例を示す説明図である。
【図４】固定部材の被接着面に接着剤拡散防止手段を設けた態様の一例である。
【図５】各種の溝形状の例である。
【図６】各種の空間構造の例である。
【図７】第２接着剤の拡散を防止するための接着剤拡散防止手段を設けた態様の一例である。
【図８】接着剤拡散防止手段を固定部材の一部分に設けた態様である。
【図９】固定部材とフレームとの従来の接着態様を示す説明図である。
【符号の説明】
１  光ピックアップ装置
２  対物レンズ駆動装置
３，８６  光学要素
４，５  受光素子
６  発光素子
７，８２  フレーム
８，８ａ，８ｂ，８ｃ，８１  固定部材
９  ＦＰＣ基板
１１  主軸ガイド穴
１２  副軸ガイド溝
２１  ハーフミラー
２２  プリズム
２３  対物レンズ
２４  センサレンズ
３１  位置決め用の治具
３２  第１接着剤
３３  第２接着剤
３４，６３  第１接着剤の塗布領域
３５，６４，７１  第２接着剤の塗布領域
４１  溝
４２  開口部
４３  コ字状ガイド
４４  被接着面
５１  空間構造
８３，８５  隙間
８４  接着剤
【図１】
2005032316.tif 000003
【図２】
2005032316.tif 000004
【図３】
2005032316.tif 000005
【図４】
2005032316.tif 000006
【図５】
2005032316.tif 000007
【図６】
2005032316.tif 000008
【図７】
2005032316.tif 000009
【図８】
2005032316.tif 000010
【図９】
2005032316.tif 000011